(57)【要約】      （修正有）【課題】圧力装置の圧力体において重量を加重する加圧体を自由配置し（分銅や硬体等構造のもの）、物品が機械台の搬送通路を通過する時、物品は上方の複数の圧力体及び加圧体の重量圧力を受けて、使用者の要望に応じて受圧重量を自由調節できる故、構造の硬度を希望通りに変化させる効果を達成するプレス装置を提供する。【解決手段】機械台の上下二方側にコンベヤを設置し、上方のコンベヤ上に圧力装置を定位し、その内のコンベヤにはベルトを回転させるローラーをそれぞれ備え、且つ、ベルト下方位置に予め配置した物品を前方に搬送させる搬送通路を形成し、圧力装置はベルト上方に近い箇所に設置し、且つ、圧力装置には相互に可動枢着し片状を成してベルト表面に平行配列する複数の圧力体をそれぞれ備え、更に、圧力装置の両側には、中央の複数の圧力体を下垂させベルト及び予め配置した物品に圧力をかけさせる支承台を設けてある。【選択図】図１
0003142252.tif 000002
【実用新案登録請求の範囲】
【請求項１】
機械台の上下二方側に物品を前方に搬送するコンベヤを設置し、上方のコンベヤ上に圧力装置を定位し、
その内の該機械台上方のコンベヤにはベルトを回転させるローラーをそれぞれ備え、且つ、ベルト下方位置には予め配置した物品を前方に搬送させる搬送通路を形成し、
該圧力装置はベルトの上方近くに設置し、且つ圧力装置には相互に可動枢着し片状を成してベルト表面に平行配列する複数の圧力体をそれぞれ備え、
該圧力装置の両側には、中央の複数の圧力体を下垂させてベルト及び予め配置した物品に圧力をかけさせる支承台を枢設することを特徴とするプレス装置。
【請求項２】
請求項１記載のプレス装置において、前記の各圧力体の相互に対応連結する箇所には、外部の軸棒を挿入固定する枢着部を設け、且つ圧力体上には更に分銅や硬体等構造の加圧体を配置することを特徴とするプレス装置。
【請求項３】
請求項１記載のプレス装置において、前記圧力装置の両側には更に台車台を設け、且つ、台車台はベルト上に、圧力体を支えるプッシュ体と、レール誘導台上を移動し並びに同時にプッシュ体を前進させる台車とをそれぞれ設け、プッシュ体前方には圧力体を押して上方向に移動させる誘導斜面を設け、また圧力装置の一方側には台車を作動させる駆動装置を設けることを特徴とするプレス装置。
【考案の詳細な説明】
【技術分野】
【０００１】
本考案は一種のプレス装置を提供し、特に、それは均等に物品をプレスするプレス装置であり、それにより物品の各部位構造を緊密堅固とする効果を達成する。
【背景技術】
【０００２】
昨今、環境保護意識が台頭し、各種包装製品において紙類製品使用の包装が徐々に普及している。市場の多くの紙類製品中、箱に入れる包装で最適なのはダンボール紙であり、該ダンボール紙は印刷の便利性、堅固耐久性という特徴を備える他、その内部には波状設計を形成し、更に弾性及び防振機能を備える。またダンボール紙は異なる強度種類により、3層、5層、7層等に製作可能で、その層数が多ければ硬度は硬くなり、並びに、成形過程において各厚紙層の分離防止の為、層と層の間に一定量の糊化澱粉を加えた後、ダンボール紙中に波形弧状を形成する構造によって外力を効果的に受け止めさせ、並びに外力を各部位上に平均分散させることにより、同等繊維の使用量でのダンボール紙の強度を高めコスト節約する効果を達成している。
【０００３】
前記ダンボール紙は、製造過程において加圧によってダンボール紙内部構造を緊密にすることにより、製品の出荷や消費者の使用において抗圧、耐衝撃、ダンボール紙の使用寿命延長の効果を持たせている。しかし、ダンボール紙は製造過程において加圧構造設計が不良であると、ダンボール紙が持つ特性及び効果を消失させる。参照とする図８に公知構造の側面図を示す。図により明らかにされる通り、この公知のプレス装置台Aにはダンボール紙Bを搬送する搬送ベルトA1を設け、並びに搬送ベルトA1上方には連動搬送ベルトA2を設け、搬送ベルトA1と連動搬送ベルトA2間に形成する搬送空間A3によってダンボール紙Bを前方に誘導し、並びにダンボール紙Bは搬送過程において連動搬送ベルトA2上方の各定点の加圧軸棒A4の圧力を受け、ダンボール紙B構造の硬さを増強する効果を達成している。
【０００４】
しかしながら、前記プレス装置台Aを使用する場合、やはり多くの欠点が存在する。例えば、加圧軸棒A4で下方向にダンボール紙Bをプレスする過程において、該ダンボール紙Bは相互に分離し単一点プレスの各加圧軸棒A4の圧力を受ける故、該ダンボール紙B内部の粘着結合材質が効果的に均等粘着せず、且つ各加圧軸棒A4はダンボール紙Bの重量への加圧を自由に調節することができず、よって、ダンボール紙Bの構造硬度は使用者の要求に基づいて自由調節するといった適用性及び人間化設計が明らかに不足、また、プレス装置台A作業において、そのダンボール紙Bの品質は効果的に管理コントロールできず、作業効率低下等の問題が引き起こされることから、いかに前記公知技術の問題を解決し、同時にいかにプレス装置を紙やアルミ箔に使用する効果を達成するかが、この業界に従事する関連メーカーの研究改善すべき方向性となっている。
【考案の開示】
【考案が解決しようとする課題】
【０００５】
本考案の主な目的は、機械台の上下二方側にコンベヤを設置し、上方のコンベヤ上に複数の圧力体を備える圧力装置を定位し、その内のコンベヤにはベルトを回転させるローラーをそれぞれ備え、且つ、ベルト下方位置に予め配置した物品を前方に送り出させる搬送通路を形成し、圧力装置は相互に可動枢着し片状を呈しベルト上方に平行配列する圧力体をそれぞれ形成し、並びに、圧力装置両側には中央の複数の圧力体を下垂させてベルト表面を圧する支承台を設け、物品が搬送通路を通過する場合、ベルト表面の圧力体を使って下方向に均等に重量をかけて圧すると、物品構造が押し出し圧せられ緊密になり、物品の各部位構造は均等プレスを受けて構造を緊密堅固にする効果を高めるプレス装置を提供することにある。
【０００６】
本考案の次の目的は、圧力装置の圧力体において重量を加重する加圧体を自由配置し（分銅や硬体等構造のもの）、物品が機械台の搬送通路を通過する時、物品は上方の複数の圧力体及び加圧体の重量圧力を受けて、使用者の要望に応じて受圧重量を自由調節できる故、構造の硬度を希望通りに変化させる効果を達成するプレス装置を提供することにある。
【０００７】
本考案のもう一つの目的は、圧力装置の両側に台車台を設け、且つ、台車台にはそれぞれプッシュ体、レール誘導台、及び台車を設け、プレス装置が物品を搬送する途中、台車がプッシュ体を前進させて圧力装置の圧力体に接触すると、圧力体は順序に従い導かれてベルト上方を離れることができ、使用者はベルト上の圧力体数量を自由選択し、物品は圧力を受ける重量を適度に変化することにより、内部構造を緊密にし使用に適する硬度に自由に調節できる故、自動化作業、広範な適用性、市場の要求に応じる等の効果を達成する。
【課題を解決するための手段】
【０００８】
請求項１の考案は、機械台の上下二方側に物品を前方に搬送するコンベヤを設置し、上方のコンベヤ上に圧力装置を定位し、
その内の該機械台上方のコンベヤにはベルトを回転させるローラーをそれぞれ備え、且つ、ベルト下方位置には予め配置した物品を前方に搬送させる搬送通路を形成し、
該圧力装置はベルトの上方近くに設置し、且つ圧力装置には相互に可動枢着し片状を成してベルト表面に平行配列する複数の圧力体をそれぞれ備え、
該圧力装置の両側には、中央の複数の圧力体を下垂させてベルト及び予め配置した物品に圧力をかけさせる支承台を枢設することを特徴とするプレス装置としている。
請求項２の考案は、請求項１記載のプレス装置において、前記の各圧力体の相互に対応連結する箇所には、外部の軸棒を挿入固定する枢着部を設け、且つ圧力体上には更に分銅や硬体等構造の加圧体を配置することを特徴とするプレス装置としている。
請求項３の考案は、請求項１記載のプレス装置において、前記圧力装置の両側には更に台車台を設け、且つ、台車台はベルト上に、圧力体を支えるプッシュ体と、レール誘導台上を移動し並びに同時にプッシュ体を前進させる台車とをそれぞれ設け、プッシュ体前方には圧力体を押して上方向に移動させる誘導斜面を設け、また圧力装置の一方側には台車を作動させる駆動装置を設けることを特徴とするプレス装置としている。
【考案の効果】
【０００９】
本考案は、プレス装置のコンベヤ上に圧力装置を定位し、圧力装置はコンベヤのベルト近く箇所に相互に可動枢着し且つ片状を成す複数の圧力体を設置し、且つこの複数の圧力体はベルト表面に平行配列しプレス動作を行い、物品はプレス装置台の通路を通過する場合、ベルト上方の圧力体を使って下方向に均等に重量をかけて圧すると、物品構造が押し出し圧せられ緊密になり、物品の各部位構造強度は均等になる効果である。
【考案を実施するための最良の形態】
【００１０】
本考案は、ダンボール紙によりプレスを行う使用を例とするが、本考案を実際に応用する場合は、ダンボール紙の物品だけの使用に制限するものでは決してなく、本考案のプレス装置を紙、アルミ箔等の構造に適用してプレスすることも可能である。参照とする図１、図２、図３には、本考案の実施例に関する立体図、側面図、及び圧力装置の拡大図を示す。図から確認できる通り、本考案が開示するプレス装置は、機械台の上下二方側にコンベヤ1を設置し、上方のコンベヤ1上に圧力装置2を定位する。
【００１１】
該コンベヤ1にはそれぞれベルト11を回転させるローラー12を備え、且つ機械台上方に位置するベルト11と下方のコンベヤ1の間に物品4を搬送通過させる搬送通路13を形成する。
該圧力装置2は上方のベルト11に近い箇所に設置し、且つ圧力装置2には相互に可動枢着し片状を成す圧力体21を備え、最前端の圧力体21及び最末端の圧力体21両側はそれぞれ吊り下げる方法で支承台22上に枢設し、中央の複数の圧力体21を平行均等配列しベルト11表面まで下垂させる。
【００１２】
前記の構成部材を組み立てる場合、まず複数の圧力体21を相互に枢着し、並びに圧力体21の両側の枢着部211の位置を別の圧力体21の枢着部211中心位置に合わせ、外部の軸棒212を挿入固定する（図３参照）。その後、連続枢着した複数の圧力体21を機械台上方のベルト11位置箇所に取り付け、並びに前端の圧力体21及び末端の圧力体21両側をそれぞれ機械台両側の支承台22上に枢設すると、中央の複数の圧力体21は重力影響を受け下方向に力をかけてベルト11表面に均等配列し、これにより、本考案の全体配置を形成する。
【００１３】
続いて図１と図２を参照すると、本考案のプレス装置を実際に作動する場合、物品4は機械台の搬送通路13を通過する。本考案機械台下方のコンベヤ1は、ベルト11を回転させるローラー12を備えるが、該コンベヤ1はこの伝動方式に制限されることはない。その後、外部の駆動装置（未図示）によってコンベヤ1のローラー12を回転させ、該機械台上方のベルト11は圧力体21の圧力を受けて、搬送通路13中に若干下垂する。この時ローラー12がベルト11を回転させると、上方と下方のベルト11は物品4を挟み込んで同時に前進し、物品4は上方の複数の圧力体21が均等に下方向に重量を加え圧するのを受ける故、物品4の構造は更に緊密で構造強度を増加する効果を達成する。
【００１４】
これによって、本考案の圧力装置2は相互に連続枢着する複数の圧力体21を設置し、その連続枢着する方法により圧力体21両側に相互に連結する枢着部211を設置し、更に外部の軸棒212を使って枢着固定する。この種の簡単な修飾及びその他同等の構造変化によって、複数の圧力体21が可動枢着し横動きする状態を形成し、中央の各圧力体21が重力影響を受けてベルト11及び物品4表面を下方向に圧する同等効果は全て、本考案の実用新案登録請求の範囲内に含まれることをここに明記する。
【００１５】
また、前記の圧力装置2の支承台22は、複数の圧力体21の最前と最後の二端を枢設定位させ、並びに複数の圧力体21に吊り下げ状態を形成させて中央部位の圧力体21をベルト11表面に下垂させる作用を与えており、該支承台22は、位置の高いロッド体等構造に取り替えて複数の圧力体21の力を支えることも可能である。またその他の簡単な修飾及び同等の構造変化は全て、本考案の実用新案登録請求の範囲に含まれることをここに明記する。
【００１６】
参照とする図４、図５は、本考案の実施例２の立体図及び側面図を示し、図により明確に理解できる通り、本考案に開示する圧力装置2の圧力体21自体は、適当な重量によりベルト11上を均等に圧することができ、並びに、搬送中の物品4に圧力をかける。しかし、本考案は更に、各圧力体21上に使用者の要求に応じて加圧体23を配置し（分銅または硬体等の構造）且つ、加圧体23の数量、設置位置もまた使用者の要望に応じて適当位置への配置が自由に選択でき、物品4が機械台の搬送通路13中を通過すると、物品4は上方の複数の圧力体21及び加圧体23の二重重量の圧力を受ける故、物品4の構造は更に緊密に、並びに物品4の構造硬度を自由調節する効果を達成する。
【００１７】
参照とする図６、図７は、本考案の実施例３の立体図及び側面図を示し、図により明確に理解できる通り、本考案に開示するプレス装置は更に、圧力装置2両側に台車台3を設け、該台車台3にはベルト11と圧力体21の間に、プッシュ体31及びレール誘導台32上においてプッシュ体31を同時に位置移動させる台車33をそれぞれ設け、プレス装置が物品4を搬送する過程において、外部の駆動装置34（モーター等）によって台車33を作動させると、台車33はレール誘導台32上において前進し、並びにプッシュ体31を前進させ、該プッシュ体31前方の誘導斜面311が圧力装置2の圧力体21を押すと、圧力体21は順序に従い誘導されてベルト11上方を離れる。その後、駆動装置34によって台車33の作動は停止され、一部の圧力体21がベルト11上を継続的に圧し、別の一部のプッシュ体31上に位置する圧力体21は、ベルト11を離れる効果を達成する。このように、本実施例の構造設計は、使用者が圧力体21の加圧重量を自由調節することができ、物品4の内部構造の緊密度を適当な硬度に自由調節して使用することができる故、広範な適用性があり、市場の要求に更に符合できる効果を持ち、また同時にこの自動化作業において該物品4は、大量生産製造、生産品質における的確な精密度、作業時間の効果的な節約、作業効率の向上等の効果を達成する。
【００１８】
更に、前記の圧力体21にまた加圧体23を組み合わせて使用することが可能であり、加圧体23は圧力体21上において安定定位状態を成す故、プッシュ体31が圧力体21を支える時、該加圧体23は共に誘導されてベルト11上方を離れ、並びに加圧体23は安定と、揺れ動かない効果を有する。
【００１９】
また、前記の機械台下方のコンベヤ1は、ベルト11及びローラー12の組み合わせとするか、または単純に複数のローラー12を設置するか、または、上方向に空気を吹き付けて物品4を移動させる空気浮上装置等とし、それはただ、物品4を同時に前進するのを助ける構造効果を持たせればよく、この種の簡易修飾及び同等構造の変化は全て、本考案の実用新案登録請求の範囲内に含まれることを明記する。
【００２０】
よって、本考案は、プレス装置のコンベヤ1上に圧力装置2を定位し、圧力装置2はコンベヤ1のベルト11近く箇所に相互に可動枢着し且つ片状を成す複数の圧力体21を設置し、且つこの複数の圧力体21はベルト11表面に平行配列しプレス動作を行い、物品4はプレス装置台の通路13を通過する場合、ベルト11上方の圧力体21を使って下方向に均等に重量をかけて圧すると、物品4構造が押し出し圧せられ緊密になり、物品4の各部位構造強度は均等になる効果がその主な特徴である。
【００２１】
本考案のプレス装置を実際に使用する場合の各特徴は次の通りである。
(1)本考案はコンベヤ1のベルト11上方に圧力装置2を定位し、圧力装置2には相互に可動枢着し片状を成す複数の圧力体21を設置し、且つこの複数の圧力体21はベルト11表面に平行配列され下方で搬送されている物品4を圧し、物品4構造は、押し出し圧せられて緊密で構造強度の更に良好な効果を達成する。
(2)本考案は、圧力体21上に更に加圧体23を配置することも可能であり（分銅または硬体等の構造）且つ、加圧体23を圧力体21上の何れかの位置にも配置することが可能であり、物品4が機械台の搬送通路13中を通過する場合、物品4は上方の複数の圧力体21及び加圧体23の二重重量の圧力を受ける故、使用者の要望に応じて物品4の受圧重量を自由調節して構造硬度を任意変化させる効果を達成する。
(3)本考案は圧力装置2の両側に台車台3を設けることにより、プレス装置が物品4搬送途中において、台車33はプッシュ体31を前進させて圧力体21に接触し、圧力体21は順序に基づき誘導されてベルト11上方を離れ、使用者はベルト11上の圧力体21の数量を自由に移動させ、物品4は圧せられる重量を適度に変更でき、内部構造の緊密度を適当な硬度に自由調節して使用できる故、広範な適用性、市場要求に応える等効果を達成する。
(4)本考案は、コンベヤ1のベルト11上方に複数の圧力体21を備えた圧力装置2と、且つ加圧重量を任意調節可能な加圧体23及び台車台3とを定位し、プレス装置の自動化作業において、物品4を大量生産による製造、製品品質における的確な精密度、作業時間の節約、作業効率向上等の効果を達成する。
【図面の簡単な説明】
【００２２】
【図１】本考案の実施例1に関する立体図である。
【図２】本考案の実施例1に関する側面図である。
【図３】本考案の実施例1に関する圧力装置の拡大図である。
【図４】本考案の実施例２に関する立体図である。
【図５】本考案の実施例２に関する側面図である。
【図６】本考案の実施例３に関する立体図である。
【図７】本考案の実施例３に関する側面図である。
【図８】公知構造の側面図である。
【符号の説明】
【００２３】
1  コンベヤ
11  ベルト
12  ローラー
13  搬送通路
2  圧力装置
21  圧力体
211  枢着部
212  軸棒
22  支承台
23  加圧体
3  台車台
31  プッシュ体
311  誘導斜面
32  レール誘導台
33  台車
34  駆動装置
4  物品
A  プレス装置台
A1  搬送ベルト
A2  連動搬送ベルト
A3  搬送空間
A4  加圧軸棒
Ｂ  ダンボール紙
【図１】
0003142252.tif 000003
【図２】
0003142252.tif 000004
【図３】
0003142252.tif 000005
【図４】
0003142252.tif 000006
【図５】
0003142252.tif 000007
【図６】
0003142252.tif 000008
【図７】
0003142252.tif 000009
【図８】
0003142252.tif 000010